(57)【要約】【課題】中間枠部の断熱性能を向上させることができる建具を提供する。【解決手段】室内外を仕切る壁部に形成された開口部に設けられ、四方枠となる外枠部３と、外枠部３の内部に設けられて端部が外枠部３に接合された方立（中間枠部）４と、を有する建具１Ａにおいて、外枠部３は、外枠部３の一部を切り欠いた切り欠き部３５を形成する端面で方立４の下端部（端部）４ｂが嵌合する接合端面３５１と、室内側に突出するアングル部５５と、を有し、方立４は、室外側に設けられる本体部４３と、本体部４３の室内側に設けられ内部に第４方立中空部（中空部）４４３が形成された張出部４４と、を有し、本体部４３の下端部（端部）４３ａは、外枠部３の接合端面３５１と接合して溶着され、張出部４４の下端部（端部）４４ａは、アングル部５５と当接している。【選択図】図２
2019143347.tif 000002
【特許請求の範囲】
【請求項１】
室内外を仕切る壁部に形成された開口部に設けられ、
四方枠となる外枠部と、
前記外枠部の内部に設けられて端部が前記外枠部に接合された中間枠部と、を有する建具において、
前記外枠部は、該外枠部の一部を切り欠いた切り欠き部を形成する端面で前記中間枠部の端部が接合する接合端面と、室内側に突出するアングル部と、を有し、
前記中間枠部は、室外側に設けられる本体部と、前記本体部の室内側に設けられ内部に中空部が形成された張出部と、を有し、
前記本体部の端部は、前記外枠部の前記接合端面と接合して溶着され、
前記張出部の端部は、前記アングル部と当接していることを特徴とする建具。
【請求項２】
前記切り欠き部が前記外枠部における前記アングル部が設けられた位置よりも深く形成され、
前記アングル部には、該アングル部の一部を切り欠いたアングル切り欠き部が形成され、
前記アングル切り欠き部は、前記張出部に被覆されている請求項１に記載の建具。
【請求項３】
前記張出部の端部は、前記アングル部の前記アングル切り欠き部を形成するアングル切り欠き部形成端面と接合している請求項２に記載の建具。
【請求項４】
前記張出部は、前記本体部から室内側に延びる側部材と、前記側部材の室内側に設けられた室内側部材と、を有し、
前記側部材の端部は、前記アングル切り欠き部形成端面と接合して溶着されている請求項３に記載の建具。
【請求項５】
前記接合端面および前記中間枠部の端部は、室内外方向から見て互いに接合するＶ字形状に形成され、
前記張出部の端部と、前記アングル切り欠き部形成端面とは、それぞれ傾斜面が形成され、それぞれの傾斜面が互いに面接触している請求項３または４のいずれか一項に記載の建具。
【請求項６】
前記中間枠部は、前記本体部および前記張出部が樹脂で形成されていて、
前記本体部の内部に設けられた金属製の芯材をさらに有する請求項１乃至５のいずれか一項に記載の建具。
【請求項７】
前記張出部および前記アングル部を室内側から覆うカバー部材が設けられている請求項１乃至６のいずれか一項に記載の建具。
【発明の詳細な説明】
【技術分野】
【０００１】
本発明は、建具に関する。
【背景技術】
【０００２】
連窓や段窓の枠体として、四方枠となる外枠部の内部に上下方向に延びる方立や左右方向に延びる無目などの中間枠部が設けられ、中間枠部の端部が外枠部に接合された枠体が知られている（例えば、特許文献１参照）。
【先行技術文献】
【特許文献】
【０００３】
【特許文献１】特開２０１０−１９６３５９号公報
【発明の概要】
【発明が解決しようとする課題】
【０００４】
樹脂製建具の連窓や段窓では、中間枠部も外枠部と同様に樹脂製となり、高い断熱性能が求められている。
【０００５】
そこで、本発明は、中間枠部の断熱性能を向上させることができる建具を提供することを目的とする。
【課題を解決するための手段】
【０００６】
上記目的を達成するため、本発明に係る建具は、室内外を仕切る壁部に形成された開口部に設けられ、四方枠となる外枠部と、前記外枠部の内部に設けられて端部が前記外枠部に接合された中間枠部と、を有する建具において、前記外枠部は、該外枠部の一部を切り欠いた切り欠き部を形成する端面で前記中間枠部の端部が接合する接合端面と、室内側に突出するアングル部と、を有し、前記中間枠部は、室外側に設けられる本体部と、前記本体部の室内側に設けられ内部に中空部が形成された張出部と、を有し、前記本体部の端部は、前記外枠部の前記接合端面と接合して溶着され、前記張出部の端部は、前記アングル部と当接していることを特徴とする。
【０００７】
本発明では、中間枠部には室内側に張出部の中空部が形成されていることにより、中間枠部の断熱性能を向上させることができる。
また、中間枠部の本体部の端部が外枠部の切り欠き部を形成する端面である接合端面と接合して溶着され、張出部の端部がアングル部と当接していることにより、張出部をアングル部に確実かつ容易に接合することができる。これにより、建具に中空部を確実かつ容易に形成することができ、建具全体の断熱性能を向上させることができる。
また、張出部がアングル部と当接していることにより、室内側からの意匠性を向上させることができる。
また、中間枠部が本体部のみでなく張出部を有することにより、中間枠部の剛性を向上させることができ、建具の耐風圧性も向上させることができる。
【０００８】
また、本発明に係る建具では、前記切り欠き部が前記外枠部における前記アングル部が設けられた位置よりも深く形成され、前記アングル部には、該アングル部の一部を切り欠いたアングル切り欠き部が形成され、前記アングル切り欠き部は、前記張出部に被覆されていてもよい。
このような構成とすることにより、切り欠き部が外枠部にアングル部が設けられた位置よりも浅く形成されている場合と比べて、本体部と外枠部とが接合される面積が大きくなるため、中間枠部と外枠部とをより強固に接合することができる。
また、このような場合もアングル切り欠き部が張出部に被覆されているため、意匠性を向上させることができる。
【０００９】
また、本発明に係る建具では、前記張出部の端部は、前記アングル部の前記アングル切り欠き部を形成するアングル切り欠き部形成端面と接合していてもよい。
このような構成とすることにより、張出部とアングル部とを確実に接合することができるとともに、張出部とアングル部との接合部の見栄えを良くすることができる。
【００１０】
また、本発明に係る建具では、前記張出部は、前記本体部から室内側に延びる側部材と、前記側部材の室内側に設けられた室内側部材と、を有し、前記側部材の端部は、前記アングル切り欠き部形成端面と接合して溶着されていてもよい。
このような構成とすることにより、張出部の側部材とアングル部とを確実に接合することができるとともに、張出部の側部材とアングル部とが連続するため、建具の意匠性を向上させることができる。
【００１１】
また、本発明に係る建具では、前記接合端面および前記中間枠部の端部は、室内外方向から見て互いに接合するＶ字形状に形成され、前記張出部の端部と、前記アングル切り欠き部形成端面とは、それぞれ傾斜面が形成され、それぞれの傾斜面が互いに面接触していてもよい。
このような構成とすることにより、中間枠部と外枠部とを確実かつ容易に接合することができるとともに、中間枠部と外枠部との接合部の意匠性を向上させることができる。また、張出部とアングル部とを確実に接合することができるとともに、張出部とアングル部との接合部の見栄えを良くすることができる。
【００１２】
また、本発明に係る建具では、前記中間枠部は、前記本体部および前記張出部が樹脂で形成されていて、前記本体部の内部に設けられた金属製の芯材をさらに有していてもよい。
このような構成とすることにより、中間枠部の断熱性能を向上させつつ、耐風圧性も向上させることができる。なお、中間枠部の芯材は金属製であるため、室外の冷気によって冷やされる虞があるが、本発明では、芯材の室内側に中空部が配置されていることにより、芯材の冷たい温度が室内側に伝達することを抑制することができる。
【００１３】
また、本発明に係る建具では、前記張出部および前記アングル部を室内側から覆うカバー部材が設けられていてもよい。
このような構成とすることにより、張出部とアングル部との接合部が室内側から覆われるため、室内側からの意匠性を向上させることができる。また、張出部の室内側の端面と、アングル部の室内側の端面とが室内外方向に異なる位置に配置された状態で張出部とアングル部とが接合された場合でも、張出部とアングル部との接合部が室内側から覆われるため、室内側からの意匠性を向上させることができる。このように、アングル部のサイズにかかわらず中空部の大きさを設定することができるため、中間枠部を任意の断熱性能に設定することができる。
【発明の効果】
【００１４】
本発明によれば、中間枠部の断熱性能を向上させることができ、建具全体の断熱性能を向上させることができる。
【図面の簡単な説明】
【００１５】
【図１】本発明の第１実施形態による建具の一例を示す図である。
【図２】下枠と中間枠部との接合部を分解した図で室内側から見た正面図である。
【図３】図１のＡ−Ａ線断面に対応する外枠部の断面図である。
【図４】下枠の平面図である。
【図５】図２のＢ−Ｂ線断面図である。
【図６】中間枠部の斜視図である。
【図７】下枠と中間枠部との接合部を示す図で室内側から見た正面図である。
【図８】図７のＣ方向から見た斜視図である。
【図９】図７のＤ−Ｄ線断面図である。
【図１０】図７のＥ−Ｅ線断面図である。
【図１１】中間枠および建枠に網戸が取り付けられた様子を示す水平断面図である。
【図１２】中間枠および建枠に網戸が取り付けられた他の様子を示す水平断面図である。
【図１３】第２実施形態による建具を説明する水平断面図である。
【図１４】第２実施形態による建具を説明する縦断面図である。
【図１５】第３実施形態による建具を説明する水平断面図である。
【図１６】図１５を室内側から見た正面図である。
【図１７】第３実施形態による建具を説明する縦断面図である。
【発明を実施するための形態】
【００１６】
（第１実施形態）
以下、本発明の実施形態による建具について、図１〜１２に基づいて説明する。
図１に示すように、本実施形態による建具１Ａは、室内外を仕切る壁部１１に形成された開口部１２に設けられた樹脂製サッシで、ＦＩＸ窓１３と片開き窓１４とが左右方向（壁部１１に沿った水平方向）に並んだ連窓となっている。
本実施形態では、室内側から見て、左側にＦＩＸ窓１３が配置され、右側に片開き窓１４が配置されている。
【００１７】
建具１Ａは、壁部１１に固定された枠体２と、枠体２の内部に配置されたＦＩＸ窓１３の障子１３１と、片開き窓１４の障子１４１と、を有している。
枠体２は、四方枠となる外枠部３と、外枠部３の内部に設けられた方立（中間枠部）４と、を有している。
外枠部３は、左右方向に延びる上枠３１および下枠３２と、上枠３１および下枠３２の左右方向の端部と接合され上下方向に延びる一対の縦枠３３，３４と、を有している。上枠３１、下枠３２、および一対の縦枠３３，３４は、それぞれが延びる長さ方向全体にわたってほぼ同じ断面形状に形成され、それぞれの断面形状もほぼ同じ形状に形成されている。
【００１８】
方立４は、上下方向延びて、上端部４ａが上枠３１の左右方向の中間部に接合され、下端部４ｂが下枠３２の左右方向の中間部に接合されている。方立４は、ＦＩＸ窓１３の障子１３１と、片開き窓１４の障子１４１との間に設けられている。
方立４は、長さ方向（上下方向）全体にわたってほぼ同じ断面形状に形成されている。
【００１９】
下枠３２および上枠３１には、その一部を切り欠いた切り欠き部３５が形成されている。切り欠き部３５には、方立４の上端部４ａおよび下端部４ｂが挿し込まれ、下枠３２および上枠３１の切り欠き部３５を形成する端面（接合端面３５１）に方立４の上端部４ａおよび下端部４ｂが接合されるように構成されている。図２に、方立４の下端部４ｂおよび下枠３２の切り欠き部３５を示す。
下枠３２および上枠３１は、上下方向に対称となり、上下方向に対称となる切り欠き部３５が形成されている。以下では、下枠３２、および下枠３２と方立４の下端部４ｂとの接合部について説明し、上枠３１、および上枠３１と方立４の上端部４ａとの接合部については、上枠３１、および下枠３２と方立４の下端部４ｂとの接合部の上下対称の形態であるものとして説明を省略する。
【００２０】
図２〜図４に示すように、下枠３２は、樹脂を材料として形成されている樹脂枠５と、樹脂枠５の内部に設けられた下枠芯材３２１（図３参照）と、を有している。
樹脂枠５は、外枠部３の外周部に配置され板面がほぼ水平面となる外板部５１と、外板部５１の室外側の端部から上側に延びる第１室外側板部５２（図３参照）と、外板部５１の室内側の縁部から上側に延びる第１室内側板部５３と、外枠部３の内周部に配置され第１室外側板部５２と第１室内側板部５３とを接続する内板部５４（図３および図４参照）と、第１室内側板部５３の高さ方向の中間部から室内側に突出するアングル部５５と、第１室内側板部５３の下端部近傍から室内側に延びる第１ひれ部５６と、外板部５１の室内外方向の中間部から下側に延びる第２ひれ部５７（図２および図３参照）と、第１室内側板部５３の上端部よりもやや下側から室外側に突出する第１突出板部５８（図３および図４参照）と、を有している。
【００２１】
図３に示すように、下枠３２は、外板部５１が開口部１２の縁部に沿って配置され、第２ひれ部５７が壁部１１の室外側の面に沿って配置されている。アングル部５５と第２ひれ部５７との間には、額縁が設けられていて、アングル部５５が額縁の上面を覆っている。アングル部５５は、額縁と内装材との境界を隠すために設けられている。
【００２２】
図３および図４に示すように、内板部５４は、第１室外側板部５２の上端部から室内側に延びる第１内板部５４１と、第１内板部５４１の室内側の端部から上方に延びる第２内板部５４２と、第２内板部５４２の上下方向の中間部から室内側に延びる第３内板部５４３と、第３内板部５４３の室内側の端部から上側に延びる第４内板部５４４と、第４内板部５４４の上端部から室内側に延びる第５内板部５４５と、第５内板部５４５の室内側の縁部から上側に延びる第６内板部５４６と、第６内板部５４６の上端部近傍から室内側に延びて第１室内側板部５３の上下方向の中間部に室外側から接続される第７内板部５４７と、を有している。
【００２３】
第１内板部５４１は、室外側から室内側に向かって漸次上側に向かって緩く傾斜している。第２内板部５４２、第４内板部５４４および第６内板部５４６は、板面がほぼ鉛直面となるように配置されている。第３内板部５４３、第５内板部５４５および第７内板部５４７は、板面がほぼ水平面となるように配置されている。
【００２４】
図３に示すように、下枠３２の内部には、外板部５１、第１室外側板部５２、第１室内側板部５３および内板部５４に囲まれた下枠中空部３２２が形成されている。下枠中空部３２２は、第２内板部５４２の下端部から外板部５１まで下方に延びる第１仕切り板部３２３、第５内板部５４５の室内外方向の中間部から外板部５１まで下方に延びる第２仕切り板部３２４、第５内板部５４５の室内側の端部から外板部５１まで下側に延びる第３仕切り板部３２５、第５内板部５４５の室内側の端部から第１室内側板部５３まで室内側に延びる第４仕切り板部３２６によって５つに仕切られている。
【００２５】
下枠中空部３２２のうち、第１仕切り板部３２３よりも室外側の空間を第１下枠中空部３２２ａ、第１仕切り板部３２３と第２仕切り板部３２４との間の空間を第２下枠中空部３２２ｂ、第２仕切り板部３２４と第３仕切り板部３２５との間の空間を第３下枠中空部３２２ｃ、第３仕切り板部３２５よりも室外側で第４仕切り板部３２６よりも下側の空間を第４下枠中空部３２２ｄ、第４仕切り板部３２６よりも上側の空間を第５下枠中空部３２２ｅとする。
第３下枠中空部３２２ｃには、下枠芯材３２１が設けられている。
【００２６】
下枠３２の切り欠き部３５は、第１内板部５４１よりも室内側でアングル部５５よりも室外側の部分に形成され、第２〜第７内板部５４２〜５４７、第３、第４仕切り板部３２５，３２６、および第１室内側板部５３を切り欠くようにして形成されている。図２に示すように、下枠３２の切り欠き部３５を形成する端面（以下、接合端面３５１とする）は、室内外方向から見て、下側に尖り角部が直角となるＶ字形状に形成されている。切り欠き部３５は、室内外方向から見て左右方向に対称となる形状に形成されている。切り欠き部３５の下端部は、下枠３２のうちアングル部５５よりも下側の位置まで及んでいる。
第２〜第７内板部５４２〜５４７、第３、第４仕切り板部３２５，３２６、および第１室内側板部５３それぞれの切り欠き部３５を形成する端面は、室内外方向から見てＶ字形の斜辺に沿った傾斜面に形成されている。
【００２７】
図４に示すように、第２内板部５４２には、室内外方向から見てＶ字形状の切り込み５４２ａが形成され、切り込み５４２ａの左右方向の一方側の端面５４２ｂが左右方向の一方側から他方側に向かって漸次下側に向かう傾斜面に形成され、左右方向の他方側の端面５４２ｃが左右方向の他方側から一方側に向かって漸次下側に向かう傾斜面に形成されている。この第２内板部５４２の端面５４２ｂ，５４２ｃは、接合端面３５１の一部となっている。
第３内板部５４３は、間隔５４３ａをあけるようにして左右方向に分断され、この間隔５４３ａの左右方向の一方側の端面５４３ｂが左右方向の一方側から他方側に向かって漸次下側に向かう傾斜面に形成され、左右方向の他方側の端面５４３ｃが左右方向の他方側から一方側に向かって漸次下側に向かう傾斜面に形成されている。この第３内板部５４３の端面５４３ｂ，５４３ｃは、接合端面３５１の一部となっている。
第４内板部５４４は、間隔５４４ａをあけるようにして左右方向に分断され、この間隔５４４ａの左右方向の一方側の端面５４４ｂが左右方向の一方側から他方側に向かって漸次下側に向かう傾斜面に形成され、左右方向の他方側の端面５４４ｃが左右方向の他方側から一方側に向かって漸次下側に向かう傾斜面に形成されている。この第４内板部５４４の端面５４４ｂ，５４４ｃは、接合端面３５１の一部となっている。
【００２８】
第５内板部５４５は、間隔５４５ａをあけるようにして左右方向に分断され、この間隔５４５ａの左右方向の一方側の端面５４５ｂが左右方向の一方側から他方側に向かって漸次下側に向かう傾斜面に形成され、左右方向の他方側の端面５４５ｃが左右方向の他方側から一方側に向かって漸次下側に向かう傾斜面に形成されている。この第５内板部５４５の端面５４５ｂ，５４５ｃは、接合端面３５１の一部となっている。
第６内板部５４６は、間隔５４６ａをあけるようにして左右方向に分断され、この間隔の左右方向の一方側の端面５４６ｂが左右方向の一方側から他方側に向かって漸次下側に向かう傾斜面に形成され、左右方向の他方側の端面５４６ｃが左右方向の他方側から一方側に向かって漸次下側に向かう傾斜面に形成されている。この第６内板部５４６の端面５４６ｂ，５４６ｃは、接合端面３５１の一部となっている。
【００２９】
第７内板部５４７は、間隔５４７ａをあけるようにして左右方向に分断され、この間隔５４７ａの左右方向の一方側の端面５４７ｂが左右方向の一方側から他方側に向かって漸次下側に向かう傾斜面に形成され、左右方向の他方側の端面５４７ｃが左右方向の他方側から一方側に向かって漸次下側に向かう傾斜面に形成されている。この第７内板部５４７の端面５４７ｂ，５４７ｃは、接合端面３５１の一部となっている。
第１突出板部５８は、間隔５８ａをあけるようにして左右方向に分断され、この間隔５８ａの左右方向の一方側の端面５８ｂが左右方向の一方側から他方側に向かって漸次下側に向かう傾斜面に形成され、左右方向の他方側の端面５８ｃが左右方向の他方側から一方側に向かって漸次下側に向かう傾斜面に形成されている。この第１突出板部５８の端面５８ｂ，５８ｃは、接合端面３５１の一部となっている。
【００３０】
第２仕切り板部３２４は、室内外方向から見てＶ字形状の切り込み３２４ａが形成され、切り込み３２４ａの左右方向の一方側の端面３２４ｂが左右方向の一方側から他方側に向かって漸次下側に向かう傾斜面に形成され、左右方向の他方側の端面３２４ｃが左右方向の他方側から一方側に向かって漸次下側に向かう傾斜面に形成されている。この第２仕切り板部３２４の端面３２４ｂ，３２４ｃは、接合端面３５１の一部となっている。
第３仕切り板部３２５は、室内外方向から見てＶ字形状の切り込み３２５ａが形成され、切り込み３２５ａの左右方向の一方側の端面３２５ｂが左右方向の一方側から他方側に向かって漸次下側に向かう傾斜面に形成され、左右方向の他方側の端面３２５ｃが左右方向の他方側から一方側に向かって漸次下側に向かう傾斜面に形成されている。この第３仕切り板部３２５の端面３２５ｂ，３２５ｃは、接合端面３５１の一部となっている。
【００３１】
アングル部５５には、切り欠き部３５の室内側となる部分に、アングル切り欠き部３５２が形成されている。アングル切り欠き部３５２は、アングル部５５を左右方向に間隔５５ａをあけるように分断している。アングル部５５は、アングル切り欠き部３５２の左右方向の一方側の端面５５ｂが左右方向の一方側から他方側に向かって漸次下側に向かう傾斜面に形成され、左右方向の他方側の端面５５ｃが左右方向の他方側から一方側に向かって漸次下側に向かう傾斜面に形成されている。このアングル部５５の端面５５ｂ，５５ｃは、本発明のアングル切り欠き部形成端面に相当している。以下では、端面５５ｂ，５５ｃをアングル切り欠き部形成端面５５ｂ，５５ｃとする。
下枠芯材３２１（図３参照）は、切り欠き部３５の内部に入り込まないように切り欠き部３５を避けて設けられている。
【００３２】
図２、図５および図６に示す方立４は、樹脂を材料として形成されている樹脂方立４１と、樹脂方立４１の内部に設けられた方立芯材４２（図５参照）と、を有している。
樹脂方立４１は、室外側に設けられた本体部４３と、本体部４３の室内側に設けられた張出部４４と、を有している。
【００３３】
図５および図６に示すように、本体部４３は、板面が室内外方向を向く鉛直面となり室外側に配置される第２室外側板部４３１と、板面が室内外方向を向く鉛直面となり室内側に配置される第２室内側板部４３２と、第２室外側板部４３１と第２室内側板部４３２との間に配置される第１見付板部４３３と、第１見付板部４３３と室内側板部との間に配置される第２見付板部４３４と、第２室外側板部４３１から第１見付板部４３３まで室内側に延びる２つの第１見込み板部４３５と、第１見付板部４３３から第２見付板部４３４まで室内側に延びる２つの第２見込み板部４３６と、第２見付板部４３４から第２室内側板部４３２まで室内側に延びる２つの第３見込み板部４３７と、第２室内側板部４３２の左右方向の両端部から室外側に突出する２つの第２突出板部４３８と、を有している。
【００３４】
第２室外側板部４３１と、第１見付板部４３３とは左右方向の寸法がほぼ同じ寸法となるように形成されている。第２見付板部４３４は、第１見付板部４３３よりも左右方向の寸法が大きくなるように形成されている。第２室内側板部４３２は、第２見付板部４３４よりも左右方向の寸法が大きくなるように形成されている。
第２室外側板部４３１、第１見付板部４３３、第２見付板部４３４、および第２室内側板部４３２は、室外側から室内側にこの順に室内外方向に間隔をあけて配置されるとともに、それぞれの左右方向の中心が室内外方向に重なるように配置されている。
第２室内側板部４３２から室外側に突出する２つの第２突出板部４３８は、第２見付板部４３４および２つの第３見込み板部４３７を左右方向から間隔をあけて挟む位置に配置されている。
【００３５】
２つの第１見込み板部４３５は、左右方向に離間していて、それぞれ第２室外側板部４３１および第１見付板部４３３の左右方向の中間部に接続されている。
２つの第２見込み板部４３６は、左右方向に離間していて、それぞれ第１見付板部４３３の左右方向の端部および第２見付板部４３４の左右方向の中間部に接続されている。
２つの第３見込み板部４３７は、左右方向に離間していて、それぞれ第２見付板部４３４および第２室内側板部４３２の左右方向の中間部に接続されている。
【００３６】
本体部４３には、第２室外側板部４３１、第１見付板部４３３および２つの第１見込み板部４３５に囲まれた第１方立中空部４３ｂと、第１見付板部４３３、第２見付板部４３４および２つの第２見込み板部４３６に囲まれた第２方立中空部４３ｃと、第２見付板部４３４、第２室内側板部４３２および２つの第３見込み板部４３７に囲まれた第３方立中空部４３ｄと、が形成されている。
【００３７】
第２方立中空部４３ｃには、方立芯材４２が設けられている。方立芯材４２は、上下方向に延びる部材で上下方向全体にわたって室外側に開口するＵ字形の断面形状に形成されている。方立芯材４２は、板面が室内外方向を向く第１芯材片４２１と、第１芯材片４２１の左右方向の一方側から室外側延びる第２芯材片４２２と、第１芯材片４２１の左右方向の他方側から室外側に延びる第３芯材片４２３と、を有している。
第１見付板部４３３には、左右方向の中間部に室内側に突出する２つの第１突出片４３３ｄが左右方向に間隔をあけて設けられている。第２見付板部４３４には、左右方向の中間部に室外側に突出する２つの第２突出片４３４ｄが左右方向に間隔をあけて設けられている。
【００３８】
方立芯材４２は、第１突出片４３３ｄと第２突出片４３４ｄとの間に配置され、第１芯材片４２１の室内側の面４２１ａが第２突出片４３４ｄの室外側の端部（先端部）と対向し、第２芯材片４２２および第３芯材片４２３の室外側の端部４２２ａ，４２３ａが第１突出片４３３ｄの室内側の端部（先端部）と対向している。
第３方立中空部４３ｄは、左右方向に間隔をあけて設けられ室内外方向に延びる２つの仕切り板部４３ｅによってさらに３つに仕切られている。
【００３９】
張出部４４は、左右方向に間隔をあけそれぞれ第２室内側板部４３２の左右方向の中間部から室内側に延びる２つの張出側板部４４１と、２つの張出側板部４４１それぞれの室内側の端部を結ぶ前板部４４２と、を有している。本実施形態では、２つの張出側板部４４１はそれぞれ板面が左右方向を向く鉛直面となり、前板部４４２が室内外方向を向く鉛直面となるように配置されている。
張出部４４には、本体部４３の第２室外側板部４３１、２つの張出側板部４４１および前板部４４２に囲まれた第４方立中空部（中空部）４４３が形成されている。
【００４０】
方立４の下端部４ｂは、室内外方向から見て、下側に尖ったＶ字形状に形成されている。下端の角部は直角となり、角部の両側は左右対称となっている。
第２室外側板部４３１の下端部４３１ａ，４３１ｂは、室内外方向から見て、下側に尖ったＶ字形状となり、左右方向の一方側の下端部４３１ａが左右方向の一方側から他方側に向かって漸次下側に向かう傾斜面に形成され、左右方向の他方側の下端部４３１ｂが左右方向の他方側から一方側に向かって漸次下側に向かう傾斜面に形成されている。
【００４１】
第１見付板部４３３の下端部４３３ａ，４３３ｂは、室内外方向から見て、下側に尖ったＶ字形状となり、左右方向の一方側の下端部４３３ａが左右方向の一方側から他方側に向かって漸次下側に向かう傾斜面に形成され、左右方向の他方側の下端部４３３ｂが左右方向の他方側から一方側に向かって漸次下側に向かう傾斜面に形成されている。
第２見付板部４３４の下端部４３４ａ，４３４ｂは、室内外方向から見て、下側に尖ったＶ字形状となり、左右方向の一方側の下端部４３４ａが左右方向の一方側から他方側に向かって漸次下側に向かう傾斜面に形成され、左右方向の他方側の下端部４３４ｂが左右方向の他方側から一方側に向かって漸次下側に向かう傾斜面に形成されている。
第２室内側板部４３２の下端部４３２ａ，４３２ａは、室内外方向から見て、下側に尖ったＶ字形状となり、左右方向の一方側の下端部４３２ａが左右方向の一方側から他方側に向かって漸次下側に向かう傾斜面に形成され、左右方向の他方側の下端部４３２ｂが左右方向の他方側から一方側に向かって漸次下側に向かう傾斜面に形成されている。
【００４２】
２つの第１見込み板部４３５は、左右方向の一方側の第１見込み板部４３５の下端部４３５ａが左右方向の一方側から他方側に向かって漸次下側に向かう傾斜面に形成され、左右方向の他方側の第１見込み板部４３５の下端部４３５ｂが左右方向の他方側から一方側に向かって漸次下側に向かう傾斜面に形成されている。
２つの第２見込み板部４３６の下端部４３６ａ，４３６ｂは、左右方向の一方側の第２見込み板部４３６の下端部４３６ａが左右方向の一方側から他方側に向かって漸次下側に向かう傾斜面に形成され、左右方向の他方側の第２見込み板部４３６の下端部４３６ｂが左右方向の他方側から一方側に向かって漸次下側に向かう傾斜面に形成されている。
２つの第３見込み板部４３７の下端部４３７ａ，４３７ｂは、それぞれの左右方向の一方側の第３見込み板部４３７の下端部４３７ａが左右方向の一方側から他方側に向かって漸次下側に向かう傾斜面に形成され、左右方向の他方側の第３見込み板部４３７の下端部４３７ｂが左右方向の他方側から一方側に向かって漸次下側に向かう傾斜面に形成されている。
【００４３】
２つの仕切り板部４３ｅの下端部は、それぞれの左右方向の一方側の仕切り板部４３ｅの端面が左右方向の一方側から他方側に向かって漸次下側に向かう傾斜面に形成され、左右方向の他方側の仕切り板部４３ｅの端面が左右方向の他方側から一方側に向かって漸次下側に向かう傾斜面に形成されている。
２つの第２突出板部４３８の下端部４３８ａ，４３８ｂは、それぞれの左右方向の一方側の第２突出板部４３８の下端部４３８ａが左右方向の一方側から他方側に向かって漸次下側に向かう傾斜面に形成され、左右方向の他方側の第２突出板部４３８の下端部４３８ｂが左右方向の他方側から一方側に向かって漸次下側に向かう傾斜面に形成されている。
【００４４】
２つの張出側板部４４１の下端部４４１ａ，４４１ｂは、それぞれの左右方向の一方側の張出側板部４４１の下端部４４１ａが左右方向の一方側から他方側に向かって漸次下側に向かう傾斜面に形成され、左右方向の他方側の張出側板部４４１の下端部４４１ｂが左右方向の他方側から一方側に向かって漸次下側に向かう傾斜面に形成されている。
図７〜図１０に示すように、方立４は、樹脂方立４１の本体部４３の下端部４３ａが下枠３２の切り欠き部３５に挿し込まれて接合端面３５１と溶着して接合され、樹脂方立４１の張出部４４の下端部４４ａが下枠３２のアングル切り欠き部３５２と重なるように配置されてアングル切り欠き部形成端面５５ｂ，５５ｃと溶着して接合されることで下枠３２と接合されている。
【００４５】
図９に示すように、方立４の本体部４３の第２室外側板部４３１の下端部４３１ａ，４３１ｂは、下枠３２の第２内板部５４２における接合端面３５１となる端面５４２ｂ，５４２ｃの上に載置されている。
方立４の本体部４３の２つの第１見込み板部４３５の下端部４３５ａ，４３５ｂは、下枠３２の第３内板部５４３における接合端面３５１となる端面５４３ｂ，５４３ｃの上に載置されている。
方立４の本体部４３の第１見付板部４３３の下端部４３３ａ，４３３ｂは、下枠３２の第４内板部５４４における接合端面３５１となる端面５４４ｂ，５４４ｃの上に載置されている。
【００４６】
方立４の本体部４３の２つの第２見込み板部４３６の下端部４３６ａ，４３６ｂは、下枠３２の第５内板部５４５における接合端面３５１となる端面５４５ｂ，５４５ｃの上に載置されている。
方立４の本体部４３の第２見付板部４３４の下端部４３４ａ，４３４ｂは、下枠３２の第６内板部５４６における接合端面３５１となる端面５４６ｂ，５４６ｃの上に載置されている。
方立４の本体部４３の２つの第３見込み板部４３７の下端部４３７ａ，４３７ｂは、下枠３２の第７内板部５４７における接合端面３５１となる端面５４７ｂ，５４７ｃの上に載置されている。
【００４７】
方立４の本体部４３の２つの第２突出板部４３８の下端部４３８ａ，４３８ｂは、下枠３２の第１突出板部５８における接合端面３５１となる端面５８ｂ，５８ｃの上に載置されている。
方立４の本体部４３の第２室内側板部４３２の下端部４３２ａ，４３２ｂは、下枠３２の第１室内側板部５３における接合端面３５１となる端面５３ｂ，５３ｃの上に載置されている。
方立４の張出部４４の２つの張出側板部４４１の下端部４４１ａ，４４１ｂは、下枠３２のアングル部５５のアングル切り欠き部形成端面５５ｂ，５５ｃの上に載置されている。
方立４の張出部４４の前板部４４２は、下枠３２のアングル部５５のアングル切り欠き部形成端面５５ｂ，５５ｃそれぞれの室内側の端部の間の上側に配置されている。
【００４８】
図８および図９に示すように、方立４の室内側の端部（前板部４４２の室内側の面４４２ａ）は、アングル部５５の室内側の端部５５ｅと室内外方向に同じ位置に配置されている。また、図８に示すように、前板部４４２の下端部４４２ｂは、アングル部５５の下面５５ｆと同じ高さに配置されている。
図１１および図１２に示すように、方立４の張出部４４と縦枠３４との間に片開き窓１４のロール網戸６が設けられていてもよい。ロール網戸６は、左右方向に巻き出し・巻取りすることで、開口部に網戸６１を設けた状態と、開口部に網戸６１がない状態とに切り替え可能に構成されている。
図１１では、片開き窓１４の吊元が縦枠３４側に設けられていて、縦枠３４にロール網戸６の網戸６１が収容される網戸収容部６２が取り付けられ、方立４に網戸６１を係止可能な網戸係止部６３が取り付けられている様子を示している。
図１２では、片開き窓１４の吊元が方立４側に設けられていて、方立４にロール網戸６の網戸６１が収容される網戸収容部６２が取り付けられ、縦枠３３，３４に網戸６１を係止可能な網戸係止部６３が取り付けられている様子を示している。
このように方立４の張出部４４をロール網戸６の取り付けに使用することができる。
【００４９】
次に、上述した本実施形態による建具１Ａの作用・効果について図面を用いて説明する。
上述した本実施形態による建具１Ａでは、方立４には本体部４３の室内側に張出部４４が設けられ、第４方立中空部４４３が形成されていることにより、方立４の断熱性能を向上させることができる。
また、方立４は、樹脂方立４１の本体部４３の端部が外枠部３の切り欠き部３５に挿し込まれて接合端面３５１と接合されていて、張出部４４の２つの張出側板部４４１の端部がアングル部５５のアングル切り欠き部形成端面５５ｂ，５５ｃと当接して接合していることにより、張出部４４をアングル部５５に確実かつ容易に接合することができる。これにより、建具１Ａに第４方立中空部４４３を確実かつ容易に形成することができ、建具１Ａ全体の断熱性能を向上させることができる。
また、張出部４４の端部がアングル切り欠き部形成端面５５ｂ，５５ｃに接合していることにより、室内側からの意匠性を向上させることができる。
また、方立４が本体部４３のみでなく張出部４４を有することにより、方立４の剛性を向上させることができ、建具１Ａの耐風圧性も向上させることができる。
【００５０】
また、本実施形態では、外枠部３の接合端面３５１および方立４の下端部４ｂは、室内外方向から見て互いに接合するＶ字形状に形成されている。そして、方立４の張出部４４の張出側板部４４１の下端部４４１ａ，４４１ｂと、アングル部５５のアングル切り欠き部形成端面５５ｂ，５５ｃとは、それぞれ傾斜面に形成され、互いに面接触している。
このような構成とすることにより、方立４と外枠部３とを確実かつ容易に接合することができる。また、方立４と外枠部３の接合部の意匠性を向上させることができる。
【００５１】
また、本実施形態では、方立４の本体部４３の内部に方立芯材４２が設けられている。
このような構成とすることにより、方立４の断熱性能を向上させつつ、耐風圧性も向上させることができる。なお、方立芯材４２は金属製であるため、室外の冷気によって冷やされる虞があるが、方立芯材４２の室内側に第４方立中空部４４３が配置されていることにより、方立芯材４２の冷たい温度が室内側に伝達することを抑制することができる。
【００５２】
（第２実施形態）
次に、他の実施形態について、添付図面に基づいて説明するが、上述の第１実施形態と同一又は同様な部材、部分には同一の符号を用いて説明を省略し、第１実施形態と異なる構成について説明する。
図１３に示すように、第２実施形態による建具１Ｂでは、方立４Ｂの張出部４４Ｂの前板部４４２Ｂの室内側の面４４２ａは、アングル部５５の室内側の端部５５ｅよりも室内側に配置されている。また、図１４に示すように、前板部４４２Ｂの下端部４４２ｂは、アングル部５５の上面５５ｄと同じ高さに配置されている。第２実施形態では、方立４Ｂの張出部４４Ｂの下端部におけるアングル部５５よりも室内側となる部分に、この部分を下側から覆うカバー部材７が設けられている。
カバー部材７は、張出部４４Ｂにおける前板部４４２Ｂの下側、２つの張出側板部４４１Ｂそれぞれの室内側の部分の下側、および第４方立中空部４４３のうちの室内側の部分の下側を覆っている。
【００５３】
カバー部材７は、張出部４４Ｂの下側に配置されるカバー下板部７１と、カバー下板部７１の室内側の縁部から上側に延びて前板部４４２Ｂの室内側を覆うカバー前板部７２と、カバー下板部７１の左右方向の両端部それぞれから上側に延びて張出側板部４４１Ｂの側方を覆う２つのカバー側板部７３と、カバー下板部７１と接続され方立４Ｂおよびアングル部５５に係止される一対の係止部７４と、を有している。
カバー前板部７２の左右方向の両端部とカバー側板部７３の室内側の端部とは連続している。
カバー部材７は、弾性変形可能で、樹脂などを材料として形成されている。
【００５４】
図１３に示すように、一対の係止部７４は、下板部の室外側の縁部の左右方向の端部近傍それぞれから室外側に突出する突出板部７４１と、突出板部７４１の室外側の端部から左右方向の外側（互いに離間する側）に突出する爪部７４２と、を有している。一対の係止部７４は、下板部との接続部（室内側の端部）を軸として互いに近接・離間する方向に弾性変形可能に構成されている。
一対の係止部７４は、弾性変形していない状態では、一対の係止部７４の一方の爪部７４２の先端部と、他方の爪部７４２の先端部との間隔が、方立４Ｂの２つの張出側板部４４１Ｂの間隔よりも大きい寸法となり、互いに近接する方向に弾性変形すると、一方の爪部７４２７４２の先端部と、他方の爪部７４２の先端部との間隔が、方立４Ｂの２つの張出側板部４４１Ｂの間隔よりも小さい寸法となるように構成されている。
【００５５】
カバー部材７は、一対の係止部７４を互いに近接する方向に弾性変形させてアングル切り欠き部３５２および２つの張出側板部４４１Ｂの間に室内側から差し込み、弾性変形を復元させて一対の係止部７４の爪部７４２をアングル部５５および張出側板部４４１Ｂに押し当てるとともに、カバー下板部７１が張出部４４Ｂの下側に配置し、カバー前板部７２が前板部４４２Ｂの室内側に配置し、カバー側板部７３が張出側板部４４１Ｂの側方に配置することで、方立４Ｂおよびアングル部５５に係止される。
これにより、方立４Ｂの張出部４４Ｂの下端部におけるアングル部５５よりも室内側となる部分に、カバー部材７が取り付けられる。
【００５６】
第２実施形態による建具１Ｂでは、張出部４４Ｂがアングルよりも室内側に突出している場合でも、方立４Ｂを下枠３２に接続することができる。また、アングル部５５のサイズにかかわらず張出部４４Ｂおよび第４方立中空部４４３の大きさを設定することができるため、方立４Ｂを任意の断熱性能に設定することができる。
【００５７】
（第３実施形態）
図１５〜図１７に示すように、第３実施形態による建具１Ｃでは、方立４Ｃの張出部４４Ｃにおける前板部４４２Ｃの室内側の面４４２ａは、アングル部５５の室内側の端部５５ｅと室内外方向に同じ位置に配置されている。前板部４４２Ｃの下端部４４２ｂは、アングル部５５の上面５５ｄの高さとなるように配置されている。
本実施形態では、前板部４４２Ｃの室内側の面４４２ａの下端部近傍、およびその下側のアングル切り欠き部３５２を室内側から覆うカバー部材８が設けられている。
【００５８】
カバー部材８は、張出部４４Ｃの前板部４４２Ｃの室内側の面４４２ａの下縁部近傍、およびその下側のアングル切り欠き部３５２に沿って配置されるカバー前板部８１と、カバー前板部８１の室外側の件から室外側に延びる下板部８２（図１５参照）と、下板部８２と接続され方立４Ｃおよびアングルに係止される一対の係止部８３（図１５参照）と、を有している。
カバー部材８は、弾性変形可能で、樹脂などを材料として形成されている。
カバー前板部８１は、板面が室内外方向を向く平板上状に形成されている。
図１５に示すように、下板部８２は、板面が上下方向を向く平板状に形成されている。下板部８２は、カバー前板部８１の高さ方向の中間部から室外側に延びている。下板部８２は、左右方向の寸法が、２つの張出側板部４４１Ｃの間隔よりも小さく設定されている。
【００５９】
一対の係止部８３は、下板部の室外側の縁部の左右方向の端部近傍それぞれから室外側に突出する突出板部８３１と、突出板部８３１の室外側の端部から左右方向の外側（互いに離間する側）に突出する爪部８３２と、を有している。一対の係止部８３は、下板部との接続部（室内側の端部）を軸として互いに近接・離間する方向に弾性変形可能に構成されている。
一対の係止部８３は、弾性変形していない状態では、一対の係止部８３の一方の爪部８３２の先端部と、他方の爪部８３２の先端部との間隔が、方立４Ｃの２つの張出側板部４４１Ｃの間隔よりも大きい寸法となり、互いに近接する方向に弾性変形すると、一方の爪部８３２の先端部と、他方の爪部８３２の先端部との間隔が、方立４Ｃの２つの張出側板部４４１Ｃの間隔よりも小さい寸法となるように構成されている。
【００６０】
カバー部材８は、一対の係止部８３を互いに近接する方向に弾性変形させて、一対の係止部８３および下板部をアングル切り欠き部３５２および２つの張出側板部４４１Ｃの間に室内側から差し込み、弾性変形を復元させて一対の係止部８３の爪部８３２をアングル部５５および張出側板部４４１Ｃに押し当てるとともに、カバー前板部８１が前板部４４２の室内側に配置することで、方立４Ｃおよびアングル部５５に係止される。
これにより、張出部４４Ｃの前板部４４２Ｃの下側でアングル切り欠き部３５２の室内側の部分に、カバー部材８が取り付けられる。
【００６１】
第３実施形態による建具１Ｃでは、前板部４４２Ｃの下端部がアングル部５５の上面の高さとなるように配置されている場合でも、方立４Ｃを下枠３２に接続することができる。
【００６２】
以上、本発明による建具の実施形態について説明したが、本発明は上記の実施形態に限定されるものではなく、その趣旨を逸脱しない範囲で適宜変更可能である。
例えば、上記の実施形態では、中間枠部が方立４であり、下枠３２および上枠３１に接合される形態を示しているが、中間枠部が無目であり、一対の縦枠３３，３４に接合される場合に、接合の方向を変えた形態で本実施形態と同様に接合されていてもよい。
【００６３】
また、上記の実施形態では、下枠３２には、室内外方向の第１内板部５４１から第１室内側板部５３までの領域に切り欠き部３５が形成され、アングル部５５にアングル切り欠き部３５２が形成されているが、切り欠き部３５のみが形成され、アングル部５５にアングル切り欠き部３５２が形成されていなくてもよい。このような場合は、張出部４４の端部をアングル部５５と当接させればよい。
【００６４】
また、上記の実施形態では、切り欠き部３５は、下枠３２のうちアングル部５５よりも深く（下側に）形成されているが、アングル部５５よりも浅く（上側に）形成されていてもよい。
【００６５】
また、上記の実施形態では、外枠部３の接合端面３５１および方立４の下端部４ｂは、室内外方向から見て互いに接合するＶ字形状に形成されているが、外枠部３の接合端面３５１および方立４の下端部４ｂは、室内外方向から見てＶ字形以外の形状に形成されていてもよい。
また、上記の実施形態では、張出部４４の張出側板部４４１の下端部４４１ａ，４４１ｂと、アングル切り欠き部形成端面５５ｂ，５５ｃとは、それぞれ傾斜面に形成され、互いに面接触しているが、張出部４４の張出側板部４４１の下端部４４１ａ，４４１ｂおよびアングル切り欠き部形成端面５５ｂ，５５ｃの形状は適宜設定されてよい。
また、本実施形態では、方立４の本体部４３の内部には、金属製の方立芯材４２が設けられているが、方立芯材４２が設けられていなくてもよいし、上記の実施形態と異なる形状の方立芯材が設けられていてもよい。
【００６６】
また、方立４および下枠３２の断面形状は、上記の実施形態の形状以外であってもよい。
また、方立４の張出部４４の張出側板部４４１，４４１と前板部４４２とは一体に形成されていてもよいし、別体に形成されていて、前板部４４２が張出側板部４４１，４４１に着脱可能なカバー材であってもよい。
また、上記の実施形態では、方立４の張出部４４の前板部４４２は、平板上状に形成されているが、曲面状に形成されていてもよい。
【符号の説明】
【００６７】
１Ａ〜１Ｃ  建具
３  外枠部
４  方立（中間枠部）
４ａ  上端部（端部）
４ｂ  下端部（端部）
７，８  カバー部材
１１  壁部
１２  開口部
３５  切り欠き部
４２  方立芯材（芯材）
４３  本体部
４３ａ  下端部（端部）
４４  張出部
４４ａ  下端部（端部）
５５  アングル部
５５ｂ，５５ｃ  アングル切り欠き部形成端面
３５１  接合端面
３５２  アングル切り欠き部
４４１，４４１Ｂ，４４１Ｃ  張出側板部（側部材）
４４２，４４２Ｂ，４４２Ｃ  前板部（室内側部材）
４４３  第４方立中空部（中空部）
【図１】
2019143347.tif 000003
【図２】
2019143347.tif 000004
【図３】
2019143347.tif 000005
【図４】
2019143347.tif 000006
【図５】
2019143347.tif 000007
【図６】
2019143347.tif 000008
【図７】
2019143347.tif 000009
【図８】
2019143347.tif 000010
【図９】
2019143347.tif 000011
【図１０】
2019143347.tif 000012
【図１１】
2019143347.tif 000013
【図１２】
2019143347.tif 000014
【図１３】
2019143347.tif 000015
【図１４】
2019143347.tif 000016
【図１５】
2019143347.tif 000017
【図１６】
2019143347.tif 000018
【図１７】
2019143347.tif 000019